(57)【要約】【課題】  高速通信（ＶＤＳＬ）する通信システムで、回線状態に応じて短時間で通信確立処理できる通信確立制御方式に用いるモデムを提供する。【解決手段】  回線インタフェース１１と、変復調部１２と、接続要求検出部１３と、ＬＡＮインタフェース１４と、通信確立制御部１５と、通信確立速度記憶部１６とを有し、通信確立した通信速度を通信確立速度記憶部１６に記憶し、次回以降の接続要求に対して通信確立速度記憶部１５に記憶された通信速度を指定して通信確立処理を行うことを特徴とするモデム１。【選択図】        図２
2005086413.tif 000002
【特許請求の範囲】
【請求項１】
センタ側変復調装置と電話の加入者回線（銅線）を介してセンタ側変復調装置に接続されている端末側変復調装置との間で信号を変復調して高速通信する通信システムの通信確立制御方式において、
過去の通信確立時の通信速度を使用してセンタ側変復調装置と端末側変復調装置間の通信確立処理を行う通信確立制御方式。
【請求項２】
請求項１に記載の通信確立制御方式において、
通信確立時の通信速度を自動監視し、最適な通信速度を検出して保持し、接続要求があったときにこの通信速度を指定して通信可能な状態への確立処理を行う通信確立制御方式。
【請求項３】
回線インタフェースと、変復調部と、接続要求検出部と、ＬＡＮインタフェースと、通信確立制御部と、通信確立速度記憶部とを有し、
通信確立した通信速度を通信確立速度記憶部に記憶し、次回以降の接続要求に対して通信確立速度記憶部に記憶された通信速度を指定して通信確立処理を行うことを特徴とする復変調装置。
【発明の詳細な説明】
【技術分野】
【０００１】
本発明は、センタ側変復調装置と電話の加入者線（銅線）を使用してセンタ側変復調装置に接続されている端末側変復調装置間で信号変調して高速通信（ＶＤＳＬ，ＡＤＳＬ）する通信システムにおける高速通信可能状態への通信確立制御方式および、この通信確立制御方式が適用される変復調装置に関する。
【背景技術】
【０００２】
電話の加入者線（銅線）を使用して変調した信号を高速通信する通信システムでは、端末側変復調装置からセンタ側変復調装置へ向けて通信速度を指定して通信の確立を実施する方法と、通信速度の範囲を指定して通信の確立を実施する方法がある。
【０００３】
しかし、前述した２つの方法では接続可能な速度を検出するまでに時間がかかってしまうという問題がある。このような問題を解決するために、従来は、ディジタル加入者線伝送方式を介した伝送システムにおいて実際に通信を確立する際に、通信するフレームを編集してリンク確立時間の短縮を実施している（例えば、特許文献１参照）。
【０００４】
上記のような通信システムにける通信確立方式においては、センタ側変復調装置と端末側変復調装置間での通信確立にあたって、回線状態に応じた通信速度を検出しなければならず時間がかかってしまう。このような通信方式では、短時間で高速通信を可能とすることが望まれる。
【０００５】
図６を用いて、端末側通信装置が接続された端末側モデムとセンタ側通信装置に接続されたセンタ側モデムとの間を電話の加入者線を介して接続して高速通信する場合の従来の動作シーケンスを説明する。端末側通信装置とセンタ側通信装置との間で、新たに高速通信を行う場合には、端末側通信装置から端末側モデムへ接続要求が送出される（ステップＳ１０１）と、端末側モデムは、高い通信速度Ａを指定した通信確立要求（速度Ａ）メッセージをセンタ側モデムへ送出する（ステップＳ１０２）。センタ側モデムは、通信速度Ａで通信を確立できるか否かを判断し、通信速度Ａで通信を確立できないと判断したときには、通信確立不可（速度Ａ）メッセージを端末側モデムへ送出する（ステップＳ１０３）。
【０００６】
通信確立不可（速度Ａ）メッセージを受信した端末側モデムは、通信速度Ａに次ぐ高い通信速度Ｂに指定した通信確立要求（速度Ｂ）メッセージをセンタ側モデムへ送出する（ステップＳ１０４）。センタ側モデムは、通信速度Ｂで通信を確立できるか否かを判断し、通信速度Ｂで通信を確立できないと判断したときには、通信確立不可（速度Ｂ）メッセージを端末側モデム１へ送出する（ステップＳ１０５）。
通信確立不可（速度Ｂ）メッセージを受信した端末側モデムは、通信速度Ｂに次ぐ通信速度Ｃを指定した通信確立要求（速度Ｃ）メッセージをセンタ側モデムへ送出する（ステップＳ１０６）。センタ側モデムは、通信速度Ｃで通信を確立できるか否かを判断し、通信速度Ｃで通信を確立できると判断したときには、通信確立（速度Ｃ）メッセージを端末側モデムへ送出し（ステップＳ１０７）、データをセンタ側通信装置へ送出する（ステップＳ１０８）。
【０００７】
このようにして、センタ側通信装置と端末側通信装置との間が正常に接続され（ステップＳ１０９）、通信速度Ｃでの高速通信が可能となる。
【０００８】
このような通信確立処理による通信を終了し、さらにその後、端末側通信装置から端末側モデムへ接続要求が送出される（ステップＳ１１１）と、端末側モデムは、高い通信速度Ａを指定した通信確立要求（速度Ａ）メッセージをセンタ側モデムへ送出する（ステップＳ１１２）。センタ側モデムは、通信速度Ａで通信を確立できるか否かを判断し、通信速度Ａで通信を確立できないと判断したときには、通信確立不可（速度Ａ）メッセージを端末側モデムへ送出する（ステップＳ１１３）。
【０００９】
通信確立不可（速度Ａ）メッセージを受信した端末側モデム１は、通信速度Ａに次ぐ高い通信速度Ｂに指定した通信確立要求（速度Ｂ）メッセージをセンタ側モデムへ送出する（ステップＳ１１４）。センタ側モデムは、通信速度Ｂで通信を確立できるか否かを判断し、通信速度Ｂで通信を確立できないと判断したときには、通信確立不可（速度Ｂ）メッセージを端末側モデムへ送出する（ステップＳ１１５）。
【００１０】
通信確立不可（速度Ｂ）メッセージを受信した端末側モデムは、通信速度Ｂに次ぐ通信速度Ｃを指定した通信確立要求（速度Ｃ）メッセージをセンタ側モデムへ送出する（ステップＳ１１６）。センタ側モデムは、通信速度Ｃで通信を確立できるか否かを判断し、通信速度Ｃで通信を確立できると判断したときには、通信確立（速度Ｃ）メッセージを端末側モデム１へ送出し（ステップＳ１１７）、データをセンタ側通信装置へ送出する（ステップＳ１１８）。
【００１１】
このようにして、センタ側通信装置と端末側通信装置との間は、リンク確立処理を再度実行後、始めて正常に接続され（ステップＳ１１９）、毎回所定の通信確立処理を終了して、始めて通信速度Ｃでの高速通信が可能となる。
【００１２】
図７を用いて、端末側通信装置が接続された端末側モデムとセンタ側通信装置が接続されたセンタ側モデムとの間を電話の加入者線を介して接続して高速通信する場合の従来の制御方式における端末側モデムにおける通信確立処理フローを説明する。端末側モデムとセンタ側モデムとが未接続である場合に、端末側通信装置から接続要求を受信する（ステップＳ１２０）と、端末側通信装置が対応し得る最高速の通信速度Ａを設定し（ステップＳ１２１）、この通信速度Ａを指定した通信確立要求（速度Ａ）メッセージをセンタ側モデムへ送出する（ステップＳ１２２）。
【００１３】
これに対するセンタ側モデムからの通信確立メッセージを受信したか否かを判定して（ステップＳ１２３）、正常に通信確立メッセージを受信したときには、この通信速度で接続処理を実行する。
【００１４】
ステップＳ１２３の判定で、通信確立メッセージを受け取っていないとき（通信確立不可受信）には、端末側通信装置が対応し得る次の通信速度Ｂを設定し（ステップＳ１２４）、通信速度Ｂを通信確立要求メッセージに指定した通信確立要求（速度Ｂ）メッセージをセンタ側モデムへ送出する（ステップＳ１２３）。この処理を繰り返して通信確立が帰ってきた通信速度で、通信を開始する。
【００１５】
このような通信確立制御方式においては、ある通信速度で通信中にセンタ側モデムと端末側モデムとの間の回線状態に変化が発生した場合は、接続可能な通信速度を検出しなおさなければならない。このような場合でも短時間で通信を確立させる制御方式が必要となる。
【特許文献１】特開２００２−２３７８０４号公報
【発明の開示】
【発明が解決しようとする課題】
【００１６】
本発明は、このような問題に鑑み。高速通信が可能で、センタ側変復調装置と電話の加入者回線（銅線）を使用してセンタ側変復調装置に接続されている端末側変復調装置間で信号を変調して高速通信（ＶＤＳＬ，ＡＤＳＬ等）する通信システムにおいて、回線状態に応じて短時間で高速通信を可能とする通信確立制御方式および、この通信確立制御方式を適用する変復調装置を提供することを目的とする。
【００１７】
また、本発明は、センタ側変復調装置（モデム）と端末側変復調装置（モデム）間で回線の状態に変化が生じた場合に、自動的に指定の速度で通信を再確立する通信確立制御方式を提供することを目的とする。
【課題を解決するための手段】
【００１８】
本発明は、上記課題を解決するために、センタ側変復調装置（モデム）と、電話の加入者線（銅線）を使用してセンタ側モデムに接続された端末側変復調装置（モデム）との間で変調した信号を高速通信（ＶＤＳＬ．ＡＤＳＬ等）する通信システムにおいて、過去の通信確立時の通信速度を端末側モデムに保持し、ユーザから接続要求があった場合、過去の通信確立速度の中で一番高速の通信速度を指定して通信を確立する通信確立処理を行う。
【００１９】
また、本発明は、センタ側モデムと、電話の加入者線（銅線）を使用してセンタ側モデムに接続された端末側モデムとの間で変調した信号を高速通信（ＶＤＳＬ，ＡＤＳＬ等）する通信システムにおいて、センタ側モデムと端末側モデムとの間の回線を使用していない場合に、センタ側モデムと端末側モデムとの間で自動で通信の確立を行い、その際の通信速度を端末側モデムに保持し、あらためて端末側通信装置を介してユーザから接続要求があったときに、自動で検出した通信速度を指定して通信を確立させる処理を行う。
【００２０】
さらに、本発明は、センタ側モデムと、電話の加入者線（銅線）を使用してセンタ側モデムに接続された端末側モデムとの間で変調した信号を高速通信（ＶＤＳＬ．ＡＤＳＬ等）する通信システムにおいて、上記二種類の通信確立制御方式を、設定により実行の有無を指定できるようにするとともに、手動により最適な通信速度での通信確立を実施可能にする処理を行う。
【００２１】
本発明は、センタ側変復調装置（モデム）と電話の加入者回線（銅線）を介してセンタ側モデムに接続されている端末側変復調装置（モデム）との間で信号を変調して高速通信する通信システムの通信確立制御方式において、過去の通信確立時の通信速度を使用してセンタ側モデムと端末側モデム間の通信確立処理を行う。
【００２２】
本発明は、上記通信確立制御方式において、通信確立時の通信速度を自動監視し、最適な通信速度を検出して通信速度記憶部に更新記憶し、接続要求時にこの通信速度を指定して通信可能な状態への確立処理を行う。
【００２３】
本発明は、回線インタフェースと、変復調部と、接続要求検出部と、ＬＡＮインタフェースと、通信確立制御部と、通信確立速度記憶部とを有し、通信確立した通信速度を通信確立速度記憶部に記憶し、次回以降の接続要求に対して通信確立速度記憶部に記憶された通信速度を指定して通信確立処理を行うモデムである。
【発明の効果】
【００２４】
本発明によれば、センタ側モデムと、電話の加入者線（銅線）を使用してセンタ側モデムに接続された端末側モデムとの間で変調した信号を高速通信（ＶＤＳＬ，ＡＤＳＬ等）する通信システムにおいて、センタ側モデムと端末側モデム間の通信確立にあたって、回線状態に応じた通信速度を指定して通信確立処理を行うことができ、短時間で通信確立処理を実行でき、高速通信が可能となる。
【００２５】
さらに、本発明によれば、センタ側モデムと、電話の加入者線（銅線）を使用してセンタ側モデムに接続した端末側モデムとの間で信号を変調して高速通信する通信システムにおいて、センタ側モデムと端末装置との間で回線状態に変化が発生した場合に、自動で通信速度を検出することにより、実際に接続要求を送信した場合には、最適の速度が指定されているので、短時間で通信可能となる。
【発明を実施するための最良の形態】
【００２６】
以下、本発明の実施の形態を、図面を用いて詳細に説明する。図１は、本発明にかかる通信確立制御方式が適用される、センタ側モデムと、電話の加入者線（銅線）を使用してセンタ側モデムに接続された端末側モデム間で変調した信号を高速で通信（ＶＤＳＬ，ＡＤＳＬ等）する通信システムの構成例を説明するシステム構成図である。
【００２７】
センタ側モデムと、電話の加入者線（銅線）を使用してセンタ側モデムに接続された端末側モデム間で変調した信号を高速通信（ＶＤＳＬ，ＡＤＳＬ）する通信システムは、図１に示すように、センタ側変復調装置（モデム）５と、複数の端末側変復調装置（モデム）１−１〜１−ｎとを、電話の加入者回線（銅線：メタルケーブル）４−１〜４−ｎを介して接続して構成される。
【００２８】
センタ側モデム５は、光ファイバなどの大容量データ通信回線７を介してセンタ側通信装置６に接続される。
【００２９】
端末側モデム１には、それぞれ１００ＢＡＳＥ／１０ＢＡＳＥのネットワークケーブル３−１〜３−ｎを介してＰＣまたはネットワーク機器などの端末側通信装置２‐１〜２‐ｎに接続される。
【００３０】
上記通信確立制御方式に対応した端末側モデム１の機能構成を、図２を用いて説明する。端末側モデム１は、回線インタフェース１１と、変復調部１２と、接続要求検出部１３と、ＬＡＮインタフェース１４と、通信確立制御部１５と、通信確立速度記憶部１６とを有して構成される。
【００３１】
回線インタフェース１１は、電話の加入者回線（銅線）４とのインタフェースであり、複数の通信速度に対応可能とされている。
【００３２】
変復調部１２は、通信データを指定された周波数で変調して回線インタエース１１へ送り出し、回線インタフェース１１から受信した変調された通信データを復調する働きを有している。変復調部１２は、複数の変調周波数に対応することができる。
【００３３】
接続要求検出部１３は、ＬＡＮインタフェース１４を介して端末側通信装置２から受信した通信データから接続要求を検出する働きを有しており、接続要求を検出したときには、通信確立制御部１５へ通信確立処理を実行するよう指示する働きを有している。
【００３４】
ＬＡＮインタフェース１４は、１００ＢＡＳＥ−ＴＸまたは１０ＢＡＳＥ−ＴなどのＬＡＮとのインタフェースであり、複数の通信速度に対応可能とされている。
【００３５】
通信確立制御部１５は、加入者回線を介してセンタ側モデム５との間でリンクを確立する通信確立制御を行う働を有している。通信確立制御部１５は、端末側通信装置２からはじめてセンタ側モデム５に対して接続要求があったときには、端末側通信装置２が対応しうる最も早い通信速度を指定して通信確立要求を送出し、この通信確立要求に対して通信確立不可を受信したときには、次に早い通信速度を指定して通信確立要求を送出し、この通信確立要求に対して通信確立不可を受信したときには、順次低い通信速度に移って通信確立要求を送出して通信確立処理を実行し、通信確立を受信したときに、この通信速度で変復調部を動作させる働きを有している。さらに、通信確立制御部１５は、通信確立した通信速度を通信確立速度記憶部１６へ格納する働きを有している。
【００３６】
通信確立制御部１５は、２回目以降の接続要求があったときには、通信確立速度記憶部１６に記憶された通信速度を指定して通信確立要求を送出する働きを有している。
【００３７】
さらに、通信確立制御部１５は、端末側モデム１とセンタ側モデム５との間で回線を使用していないときに、自動的に通信確立処理を実行して、通信確立速度を取得し、取得した通信確立速度が既に保持している通信速度よりも早いときにこの通信確立速度を通信確立速度記憶部１６に保持する働きを有している。
【００３８】
通信確立制御部１５は、通信中に通信回線に通信状態の変化があったときに新たに通信確立処理を実行する働きを有している。
【００３９】
通信確立速度記憶部１６は、通信確立時の通信速度を格納する働きを有している。
【００４０】
図３を用いて、上記通信システムに、本発明にかかる通信確立制御方式を適用した場合の動作シーケンスを説明する。センタ側通信装置６と端末側通信装置２との間で、新たに高速通信を行う場合には、端末側通信装置２から端末側モデム１へ接続要求が送出される（ステップＳ１０）と、端末側モデム１は、端末側通信装置２が対応し得る最も速い通信速度Ａを指定した通信確立要求（速度Ａ）メッセージをセンタ側モデム５へ送出する（ステップＳ１１）。センタ側モデム５は、通信速度Ａで通信を確立できるか否かを判断し、通信速度Ａで通信を確立できないと判断したときには、通信確立不可（速度Ａ）メッセージを端末側モデム１へ送出する（ステップＳ１２）。
【００４１】
通信確立不可（速度Ａ）メッセージを受信した端末側モデム１は、通信速度Ａに次ぐ速さの通信速度Ｂに指定した通信確立要求（速度Ｂ）メッセージをセンタ側モデム５へ送出する（ステップＳ１３）。センタ側モデム５は、通信速度Ｂで通信を確立できるか否かを判断し、通信速度Ｂで通信を確立できないと判断したときには、通信確立不可（速度Ｂ）メッセージを端末側モデム１へ送出する（ステップＳ１４）。
【００４２】
通信確立不可（速度Ｂ）メッセージを受信した端末側モデム１は、通信速度Ｂに次ぐ速さの通信速度Ｃを指定した通信確立要求（速度Ｃ）メッセージをセンタ側モデム５へ送出する（ステップＳ１５）。センタ側モデム５は、通信速度Ｃで通信を確立できるか否かを判断し、この通信速度で通信を確立できると判断したときには、通信確立（速度Ｃ）メッセージを端末側モデム１へ送出し（ステップＳ１６）、データをセンタ側通信装置６へ送出する（ステップＳ１７）。
【００４３】
通信確立（速度Ｃ）メッセージを受信した端末側モデム１は、通信確立速度Ｃを通信確立速度記憶部へ保持する（ステップＳ１８）。このようにして、センタ側通信装置６と端末側通信装置２との間が正常に接続され（ステップＳ１９）、通信速度Ｃでの高速通信が可能となる。
【００４４】
このように、通信速度Ｃでのセンタ側通信装置６と端末側通信装置２間の通信を終了した後、再び、端末側通信装置２からセンタ側通信装置６への接続要求が端末側モデム１に送出されると（ステップＳ２１）、端末側モデム１は通信確立速度記憶部に保持している通信確立速度Ｃを通信速度として指定した通信確立要求（速度Ｃ）メッセジをセンタ側モデム５に対して送出する（ステップＳ２２）。
【００４５】
センタ側モデム５は、通信速度Ｃで通信を確立できるか否かを判断し、この通信速度で通信を確立できると判断したときには、通信確立（速度Ｃ）メッセージを端末側モデム１へ送出し（ステップＳ２３）、データをセンタ側通信装置６へ送出する（ステップＳ２４）。
【００４６】
このようにして、センタ側通信装置６と端末側通信装置２との間が、１回の通信確立要求処理で正常に接続され（ステップＳ２５）、短時間で通信確立処理が終了し、通信速度Ｃでの高速通信が可能となる。
【００４７】
図４を用いて、端末側モデム１とセンタ側モデム５との間で自動で通信確立を実施し、予め通信確立可能な通信速度を検出しておく場合の処理シーケンスを説明する。端末側モデム１が、通信速度Ａで通信確立要求（速度Ａ）メッセージをセンタ側モデム５へ向けて送出する（ステップＳ３１）。通信確立要求（速度Ａ）メッセージを受信したセンタ側モデム５は、通信速度Ａで通信を確立できるか否かを判断し、通信を確立できないと判断したときには、通信確立不可（速度Ａ）メッセージを端末側モデム１へ送出する（ステップＳ３２）。
【００４８】
通信確立不可（速度Ａ）メッセージを受信した端末側モデム１は、通信速度Ａに次ぐ速さの通信速度Ｂに指定した通信確立要求（速度Ｂ）メッセージをセンタ側モデム５へ送出する（ステップＳ３３）。センタ側モデム５は、通信速度Ｂで通信を確立できるか否かを判断し、通信を確立できないと判断したときには、通信確立不可（速度Ｂ）メッセージを端末側モデム１へ送出する（ステップＳ３４）。
【００４９】
通信確立不可（速度Ｂ）メッセージを受信した端末側モデム１は、通信速度Ｂに次ぐ通信速度Ｃを指定した通信確立要求（速度Ｃ）メッセージをセンタ側モデム５へ送出する（ステップＳ３５）。センタ側モデム５は、この通信速度で通信を確立できるか否かを判断し、通信を確立できると判断したときには、通信確立（速度Ｃ）メッセージを端末側モデム１へ送出する（ステップＳ３６）。
【００５０】
通信確立（速度Ｃ）メッセージを受信した端末側モデム１は、通信確立速度Ｃを通信確立速度記憶部に保持する（ステップＳ３７）。その後、未使用時に機器的にリンク確立処理を実行して通信確立速度を取得し、一番速い速度を常に通信確立速度記憶部に保持しておく。このようにして、端末側モデム１とセンタ側モデム５との間での最も高速な通信確立速度を獲得しておくことができる。
【００５１】
このような状態で、端末側通信装置２から接続要求が出力されると（ステップＳ３８）、端末側モデム１は、保持された通信確立速度Ｃを指定した通信確立要求（速度Ｃ）メッセージをセンタ側モデム５へ送出する（ステップＳ３９）。センタ側モデム５は、この通信速度（速度Ｃ）で通信を確立できるか否かを判断し、通信を確立できると判断したときには、通信確立（速度Ｃ）メッセージを端末側モデム１へ送出し（ステップＳ４０）、データをセンタ側通信装置６へ送出する（ステップＳ４１）。
【００５２】
このようにして、センタ側通信装置６と端末側通信装置２との間が、１回の通信確立要求処理で正常に接続され（ステップＳ４２）、短時間で通信確立処理が終了し、通信速度Ｃでの高速通信が可能となる。
【００５３】
図５を用いて、本発明にかかる通信確立制御方式を実行する端末側モデム１における制御方式のフローを説明する。端末側モデム１とセンタ側モデム５とが未接続である場合に、端末側通信装置２から接続要求を受信する（ステップＳ５１）と、端末側モデム１は、通信確立可能な通信速度を既に保持しているか否かを判定する（ステップＳ５２）。保持していない場合には、端末側通信装置２が対応し得る最高速の通信速度Ａを設定し（ステップＳ５３）、この通信速度Ａを指定した通信確立要求（速度Ａ）メッセージをセンタ側モデム５へ送出する（ステップＳ５５）。
【００５４】
ステップＳ５２の判断で通信速度を既に保持している場合には、保持している通信速度Ｎを通信確立要求メッセージに指定した（ステップＳ５４）通信確立要求（速度Ｎ）メッセージをセンタ側モデム５へ送出する（ステップＳ５５）。これに対するセンタ側モデム５からの通信確立メッセージを受信したか否かを判定して（ステップＳ５６）、正常に通信確立メッセージを受信したときには、この通信確立時の通信速度を保持して（ステップＳ５７）、この通信速度で接続処理を実行する。
【００５５】
ステップＳ５６の判定で、通信確立メッセージを受け取っていないとき（通信確立不可受信）には、端末側通信装置２が対応し得る次通信速度Ｂを設定し（ステップＳ５８）、通信速度Ｂを通信確立要求メッセージに指定した（ステップＳ５４）通信確立要求（速度Ｂ）メッセージをセンタ側モデム５へ送出する（ステップＳ５５）。この処理を繰り返して通信確立が帰ってきた通信速度で、通信を開始する。
【図面の簡単な説明】
【００５６】
【図１】本発明にかかる通信確立制御方式が適用される通信システムの構成を説明する図
【図２】本発明にかかる通信確立制御方式が適用される通信システムを構成する端末側変復調装置（モデム）の構成を説明する図
【図３】本発明にかかる通信確立制御方式が適用される通信システムにおける通信確立処理を説明する図
【図４】本発明にかかる通信確立制御方式が適用される通信システムにおける通信速度取得処理を説明する図
【図５】本発明にかかる通信確立制御方式が適用される通信システムにおける端末側モデムでの通信確立処理を説明するフローチャート
【図６】従来の通信確立制御方式における通信確立処理を説明する図
【図７】従来の通信確立制御方式における端末側モデムでの通信確立処理を説明するフローチャート
【符号の説明】
【００５７】
１  端末側変復調装置（モデム）
１１  回線インタフェース
１２  変復調部
１３  接続要求検出部
１４  ＬＡＮインタフェース
１５  通信確立制御部
１６  通信確立速度記憶部
２  端末側通信装置
３  ネットワークケーブル
４  電話の加入者回線（銅線）
５  センタ側変復調装置
６  センタ側通信装置
７  大容量データ通信回線
【図１】
2005086413.tif 000003
【図２】
2005086413.tif 000004
【図３】
2005086413.tif 000005
【図４】
2005086413.tif 000006
【図５】
2005086413.tif 000007
【図６】
2005086413.tif 000008
【図７】
2005086413.tif 000009